(57)【特許請求の範囲】
【請求項１】
フロントに対してテンプルが着脱自在に取り付けられる眼鏡において、
前記フロントのヨロイ部分又は前記テンプルのヨロイ側の端部に形成され、前記テンプ
ルの軸線方向に向けて延びる嵌合部と、
前記嵌合部を前記フロントのヨロイ部分に形成した場合には前記テンプルのヨロイ側の端部に形成され、前記嵌合部を前記テンプルのヨロイ側の端部に形成した場合には前記フロントのヨロイ部分に形成され、前記嵌合部と嵌合する嵌合溝と、
この嵌合溝の底部又は前記嵌合部に設けられた磁石と、
前記嵌合部又は前記嵌合溝の底部に設けられ、前記磁石に磁着する磁着体と、
前記嵌合部又は前記嵌合溝の底部に立設された位置決め突起と、
前記嵌合溝の底部又は前記嵌合部に形成され、前記位置決め突起と係合して、前記フロ
ントに対する前記テンプルの位置決めを行うとともに、前記フロントに対する前記テンプ
ルの軸線方向の移動を規制する係合孔と、
前記嵌合溝を形成した前記フロントのヨロイ部分又は前記テンプルに設けられ、前記嵌合部を前記嵌合溝に嵌合した際に、前記嵌合部の端部と当接する第一の当接部と、
前記嵌合部を形成した前記テンプル又は前記フロントのヨロイ部分に設けられ、前記嵌合部を前記嵌合溝に嵌合した際に、前記嵌合溝の端部と当接する第二の当接部とを有し、
前記位置決め突起を、前記テンプルの軸線に直交する方向から前記テンプルの軸線側に傾け、かつ、前記係合孔を前記位置決め突起の傾きに応じた方向及び角度で傾斜させたこと、
を特徴とする眼鏡。
【請求項２】
前記嵌合溝が、前記眼鏡の内側又は上方若しくは下方に向けて開口していて、前記軸線と直交する方向から前記嵌合部が嵌合されることを特徴とする請求項１に記載の眼鏡。
【請求項３】
前記係合孔が、前記嵌合部又は前記嵌合溝の底部を貫通して形成され、かつ、前記位置決め突起の長さを前記係合孔の深さよりも長くしたことを特徴とする請求項１又は２に記載の眼鏡。
【請求項４】
前記テンプルに嵌合溝を形成した場合において、前記嵌合溝の先端を蝶番と同位置に位置させたことを特徴とする請求項１〜３のいずれかに記載の眼鏡。
【請求項５】
前記磁着体が磁石であることを特徴とする請求項１〜４のいずれかに記載の眼鏡。
【請求項６】
前記嵌合溝の端部及び前記第二の当接部を、前記テンプルの回動方向と同方向に傾斜した傾斜面としたことを特徴とする請求項１〜５のいずれかに記載の眼鏡。
【発明の詳細な説明】
【技術分野】
【０００１】
本発明は、レンズを保持するフロントと、このフロントにヨロイを介して取り付けられるテンプルとを有する眼鏡に関し、特に、フロントに対してテンプルが着脱自在な眼鏡に関する。
【背景技術】
【０００２】
眼鏡は、レンズを備えたフロントと、このフロントとヨロイを介して取り付けられたテンプルとから概略構成される。そして、一般的には、テンプルとヨロイとの間にはテンプルを折り畳み自在にするための蝶番が設けられていて、テンプルは、この蝶番にボルト等によって取り付けられている。
このように、眼鏡は、通常、テンプルがフロントにボルト等で取り付けられた状態で販売されるため、消費者の多種多様な好みに応じるために、メーカーや販売店は、需要を予測して多種多様な製品を予め製造しストックておかねばならず、そのためのコスト負担が大きいという問題がある。一方、消費者においては、多種多様な製品は選択の幅が拡がって好ましいことではあるが、膨大な種類の製品の中から真に自己の好みに合致したものを選択することが困難になるという問題がある。
【０００３】
このような問題点に鑑み、フロントとテンプルとを着脱自在にし、消費者の好みに応じてフロントとテンプルを組み合わせ、製品として販売する手法が近年拡がりつつある。このような手法は、フロントとテンプルの組み合わせの自由度を飛躍的に拡大し、メーカーや販売店において製品の在庫を減少させることができ、コスト削減に大きく貢献することができるほか、消費者の好みに応じた製品を短時間で提供することができるため、近年有望視されている手法である。
【０００４】
フロントに対してテンプルを着脱自在にする手段は、従来より様々なものが提案されている。例えば、特許文献１，２に記載の組立て式眼鏡フロントでは、眼鏡を構成する部品どうしを磁石により固定することで、組立・分解可能な構造としている。また、特許文献３では、差し込み部と開口凹部（差し込み孔）とを有し、開口凹部の底部に磁石を取り付けることで、フロントに対してテンプルを着脱自在にした眼鏡フロントが提案されている。
【特許文献１】特開平８−２８１８２４号公報
【特許文献２】実用新案登録第３０１９９９９号
【特許文献３】特開平７−１９９１２９号公報
【発明の開示】
【発明が解決しようとする課題】
【０００５】
しかし、上記文献に記載の眼鏡は、差し込み孔にテンプルを差し込んで固定する構造のものは、差し込み部材と差し込み孔との寸法精度を精密に仕上げないと、テンプルとフロントとの間でがたが生じやすいという問題がある。しかしながら、差し込み部材と差し込み孔との寸法精度を精密にすると、製造コストが高くなるばかりでなく、テンプルとフロントの組立と分解が困難になり、さらに、脱着を繰り返すことで嵌め合いがあまくなってがたが生じたり、テンプルやフロントを破損するという新たな問題が生じる。
【０００６】
さらに、文献３に記載の眼鏡では、眼鏡を顔から外すときにテンプルの軸線方向、つまりテンプルをフロントから引き抜こうとする方向に比較的大きな力が作用するため、眼鏡を外す際に差し込み部材が差し込み孔から抜け出てテンプルとフロントとが分解してしまうおそれがある。そこで、実質的には、組立後に両者をボルト等で固定しなければならず、着脱が容易ではなくなるという問題もある。
またさらに、文献３に記載の眼鏡では、フロントとテンプルとの継ぎ目がテンプルの長手方向の途中に表れ、眼鏡のデザイン上好ましくないという問題がある。
【０００７】
本発明は、上記の問題点に鑑みてなされたもので、簡単な構成でテンプルとフロントとをがた無く着脱自在に取り付けることができ、かつ、コスト的，デザイン的にも優れた眼鏡の提供を目的とする。
【課題を解決するための手段】
【０００８】
上記目的を達成するために、請求項１に記載の発明は、フロントに対してテンプルが着脱自在に取り付けられる眼鏡において、前記フロントのヨロイ部分又は前記テンプルのヨロイ側の端部に形成され、前記テンプルの軸線方向に向けて延びる嵌合部と、前記嵌合部を前記フロントのヨロイ部分に形成した場合には前記テンプルのヨロイ側の端部に形成され、前記嵌合部を前記テンプルのヨロイ側の端部に形成した場合には前記フロントのヨロイ部分に形成され、前記嵌合部と嵌合する嵌合溝と、この嵌合溝の底部又は前記嵌合部に設けられた磁石と、前記嵌合部又は前記嵌合溝の底部に設けられ、前記磁石に磁着する磁着体と、前記嵌合部又は前記嵌合溝の底部に立設された位置決め突起と、前記嵌合溝の底部又は前記嵌合部に形成され、前記位置決め突起と係合して、前記フロントに対する前記テンプルの位置決めを行うとともに、前記フロントに対する前記テンプルの軸線方向の移動を規制する係合孔と、前記嵌合溝を形成した前記フロントのヨロイ部分又は前記テンプルに設けられ、前記嵌合部を前記嵌合溝に嵌合した際に、前記嵌合部の端部と当接する第一の当接部と、前記嵌合部を形成した前記テンプル又は前記フロントのヨロイ部分に設けられ、前記嵌合部を前記嵌合溝に嵌合した際に、前記嵌合溝の端部と当接する第二の当接部とを有し、前記位置決め突起を、前記テンプルの軸線に直交する方向から前記テンプルの軸線側に傾け、かつ、前記係合孔を前記位置決め突起の傾きに応じた方向及び角度で傾斜させた構成としてある。
【０００９】
本発明の眼鏡においては、テンプルは眼鏡外側からフロントのヨロイ部分に取り付けられる。取付後のテンプルにおいては、フロントに対し、軸線方向（
長手方向）の移動、前記軸線と交叉する方向の揺動、前記軸線周りの回転、嵌合溝から嵌合部が脱出する方向への移動が規制される必要がある。
本発明の眼鏡では、軸線方向の移動は、位置決め突起と係合孔とが係合することで規制
される。また、軸線周りの回転は、ほぼ同一形状に形成された嵌合部と嵌合溝との嵌合に
より規制される。さらに、嵌合溝から嵌合部が脱出する方向への移動は、磁石と磁着体と
の磁着作用によって規制される。また、前記軸線と交叉する方向の揺動は、前記嵌合部の
端部と第一の当接部との当接及び前記嵌合溝の端部と第二の当接部との当接により規制さ
れる。また位置決め突起を傾斜させることで、眼鏡の使用中においてテンプルをフロントに対してより外れにくくすることができる。位置決め突起の傾斜方向は、第一の当接部又は第二の当接部と同じ（
平行） であってもよいが、異なる角度とすれば、眼鏡の使用中にテンプルをフロントに対してより外れにくくすることができる。
このように、本発明の眼鏡では、簡単な構成であらゆる方向の移動や揺動、回転を規制
して、フロントに対してテンプルをがた無くしっかりと取り付けることができる高品質の
眼鏡を得ることができる。
【００１０】
嵌合溝の開口の方向は、眼鏡のデザイン性を考慮して、嵌合溝と嵌合部とが眼鏡の外側から見えないものであるのが好ましい。すなわち、請求項２に記載するように、前記嵌合溝が、前記眼鏡の内側又は上方若しくは下方に向けて開口していて、前記軸線と直交する方向から前記嵌合部が嵌合されるようにするとよい。
前記した係合孔と位置決め突起は、請求項３に記載するように、前記係合孔を、前記嵌合部又は前記嵌合溝の底部に貫通して形成し、前記位置決め突起の長さを前記係合孔の深さよりも長く形成するとよい。
このようにすることで、テンプルをフロントに取り付けた際に、位置決め突起の先端が嵌合部又は嵌合溝の底部から僅かに突出し、テンプルをフロントから取り外す際に、この位置決め突起の先端を押すことで、嵌合部と嵌合溝との嵌合状態を容易に解除させ、テンプルの取り外しを容易にする。
【００１１】
前記の嵌合部は、フロント側又はテンプル側のいずれに形成してもよい。テンプル側に嵌合溝を形成する場合は、請求項４に記載するように、前記嵌合溝の先端を蝶番とほぼ同じ位置に位置させるとよい。
このようにすることで、テンプルとフロントとの間の継ぎ目をほとんど目立たなくすることができる。
【００１２】
なお、本発明においては、テンプル及びフロントの少なくとも一方に磁石を設け、他方にこの磁石に磁着する磁着体を設けるものとしてもよいが、請求項５
に記載するように、テンプル及びフロントの双方に磁石を設けてもよい。このようにすることで、フロントにテンプルを強力に取り付けることができる。なお、磁石としては、磁着力の強いネオジウム磁石を使用するとよい。
また、請求項６ に記載するように、前記嵌合溝の端部及び前記第二の当接部は、前記テンプルの回動方向と同方向に傾斜した傾斜面として形成するとよい。
このようにすることで、特に、眼鏡を装着するに際してテンプルを押し広げる方向に大
きな力が作用しても、テンプルがフロントから容易に外れるということがない。
【発明の効果】
【００１３】
本発明によれば、フロントへのテンプルの取り付け及びフロントからのテンプルの取り外しを容易に行えるようになるうえ、フロントとテンプルの脱着を繰り返しても、容易にがたが生じたり、破損したりすることがない。また、フロントとテンプルの継ぎ目を蝶番とほぼ同位置に位置させることが可能で、眼鏡のデザイン性に悪影響を及ぼすこともない。
さらに、消費者の好みに応じた多種多様な眼鏡を、低廉なコストで簡単に組み立てることができ、メーカーや販売店における在庫数を飛躍的に減少させることが可能である。
【発明を実施するための最良の形態】
【００１４】
以下、本発明の好適な実施形態を、図面を参照しながら詳細に説明する。
図１及び図２は、本発明の眼鏡の第一の実施形態にかかり、図１はフロントとテンプルの分解平面図、図２は、フロントとテンプルの取付部分を拡大した分解斜視図である。
なお、以下の説明では、レンズをリムによって保持させるフルリム又はハーフリムの眼鏡を例に挙げて説明するが、本発明は、リムを有しないリムレス眼鏡にも適用が可能である。また、以下の説明において「前」と記載するときは図１の紙面左側を指し、「後」と記載するときは図１の紙面右側を指すものとする。
【００１５】
フロントＦは、リム１と、このリム１によって保持されたレンズ２と、ヨロイ３とを有している。ヨロイ３は、前端がリム１に連結されたヨロイ前部３ａと、テンプル５が取り付けられるヨロイ後部３ｂと、ヨロイ前部３ａ及びヨロイ後部３ｂを回転自在に連結する蝶番４とから構成されている。
ヨロイ後部３ｂには、テンプル５の軸線Ｃに沿って後方に延出する嵌合部３１が形成されている。嵌合部３１とヨロイ後部３ｂとの境界部分は、内側から外側に向けて傾斜する斜面状の段付き面３ｃとして形成されている。
テンプル５の前端には、嵌合部３１と嵌合する嵌合溝５１が、軸線Ｃ方向に切り欠き形成されている。テンプル５の前端面５１ａは、段付き面３ｃと同じ方向に同じ角度で傾斜する傾斜面として形成されている。また、この実施形態において、嵌合溝５１の開口は、眼鏡の内側を差し向くように形成されていて、テンプル５は眼鏡の外側からヨロイ後部３ｂに取り付けられる。
【００１６】
嵌合部３１及び嵌合溝５１は、同一の断面形状（図示の例では矩形状）を有するように形成され、かつ、嵌合部３１の幅、長さ及び肉厚の各寸法は、嵌合溝５１の幅、長さ及び溝深さの各寸法とほぼ同一に形成されている。
なお、眼鏡を組み立てたときのガタを抑制するために、嵌合溝５１の幅寸法Ｈ（図２参照）を、嵌合部３１の幅寸法よりも僅かに小さく形成し、若干締り嵌めの状態で嵌合部３１が嵌合溝５１に嵌合されるようにするのが好ましい。
嵌合部３１と嵌合溝５１の底部のほぼ中央には、ネオジウム磁石である磁石３２，５２が取り付けられ、嵌合溝５１に嵌合部３１を嵌入したときに、磁石３２，５２の磁着作用により、フロントＦとテンプル５とが互いに強固に固定されるようになっている。
【００１７】
また、嵌合溝５１の底部には、磁石５２と前端面５１ａとの間に位置決め突起である位置決めピン５３が立設され、この位置決めピン５３が挿入される係合孔としてのピン孔３３が、嵌合部３１の対応する部位に貫通形成されている。
この実施形態において位置決めピン及びピン孔３３は、図示するように、嵌合溝５１の底面及び軸線Ｃに対してほぼ垂直で、後述する嵌合溝５１の後端面５１ｂに対してほぼ平行に形成されている。
また、位置決めピン５３の外径とピン孔３３の内径とはほぼ同一の寸法に形成するのが好ましく、かつ、位置決めピン５３の全長をピン孔３３の孔深さよりも若干長く形成するのが好ましい。このようにすることで、嵌合部３１を嵌合溝５１に嵌合させてテンプル５をフロントＦに取り付けたときに、位置決めピン５３の先端がピン孔３３から僅かに眼鏡の内方に突出し、テンプル５をフロントＦから取り外す際の手掛かりになる。
【００１８】
嵌合部３１を嵌合溝５１に嵌め込むと、両者の嵌合により軸線Ｃ周りの相対的な回転及び位置決めピン５３周りの相対的な回転が規制される。また、二つの磁石３２，５２の磁着作用によって、嵌合部３１が嵌合溝５１から脱出する方向の移動が規制される。さらに、位置決めピン５３とピン孔３３との係合によって、嵌合溝５１と嵌合部３１の前後方向の相対移動が規制される。
【００１９】
またさらに、嵌合部３１を嵌合溝５１に嵌合させると、嵌合部３１の後端面３１ａが嵌合溝５１の後端面５１ｂに当接するとともに、テンプル５の前端面５１ａが嵌合部３１の基部の段付き面３ｃに当接する。これにより、テンプル５の上下方向の揺動が規制される。すなわち、この実施形態では、嵌合溝５１の後方に位置する後端面５１ｂが、嵌合部３１を嵌合溝５１に嵌合した際に嵌合部３１の後端面３１ａと当接する第一の当接部を構成し、ヨロイ後部３ｂの嵌合部３１の基部に位置する段付き面３ｃが、嵌合部３１を嵌合溝５１に嵌合した際に、嵌合溝５１の前端面５１ａと当接する第二の当接部を構成するわけである。
このようにして、本発明の眼鏡では、テンプル５をフロントＦに取り付けた際のあらゆる方向の移動や回転が強固に規制されるので、組立後の眼鏡においてテンプル５をフロントＦの取付部分でがたが生じるということがない。また、段付き面３ｃ及び前端面５１ａは傾斜面として形成されているので、眼鏡を装着する際にテンプル５を押し広げる方向に大きな力が作用しても、嵌合部３１が嵌合溝５１から容易に抜脱することがない。
【００２０】
図３は、テンプル５とフロントＦとを取り付けた状態を示す図で、図３（ａ）はその平面図、図３（ｂ）はその側面図である。
図３（ａ）に示すように、テンプル５をフロントＦに取り付けた状態では、位置決めピン５３の先端が僅かに嵌合部３１から眼鏡の内方に突出している。そのため、テンプル５をフロントＦから取り外す際には、この突出部分を押してテンプル５をフロントＦから浮かせ、密着状態を解除することで、取り外しが容易になる。
また、図３（ｂ）に示すように、本発明の眼鏡においては、テンプル５とフロントＦとの継ぎ目（図３ｂ中符号Ｌで示す線の部分）を、蝶番４のきわめて近傍又は同一位置に位置させることができる。そのため、継ぎ目がテンプル５の途中に位置することで眼鏡のデザイン性を損なうことがない、という利点がある。
【００２１】
図４は、本発明の第二の実施形態にかかる眼鏡のフロントとテンプルの説明図で、（ａ）はフロントとテンプルの分解平面図、（ｂ）はフロントとテンプルの組立平面図である。
なお、先の実施形態と同一部材，同一部位には同一の符号を付して、詳しい説明は省略する。
この実施形態では、嵌合溝５１の底部には、磁石５２の前後に二つの位置決めピン５３ａ，５３ｂが立設されている。
【００２２】
位置決めピン５３ａ，５３ｂは、先端が前方に向かうように、軸線Ｃに対して同じ角度で傾斜して形成されている。また、位置決めピン５３ａ，５３ｂが挿入されるピン孔３３ａ，３３ｂは、位置決めピン５３ａ，５３ｂの傾斜角度と同じ角度及び同じ方向で傾斜して形成されている。
【００２３】
この実施形態の眼鏡では、図４（ｂ）に示すように、眼鏡使用の際に軸線Ｃとほぼ直交する横方向（白抜き矢印Ｉ方向）に力が作用しても、傾斜した位置決めピン５３ａ，５３ｂがピン孔３３ａ，３３ｂから容易に抜脱しないので、フロントＦとテンプル５との組立強度をさらに高めることができる。
【００２４】
なお、位置決めピン５３ａ，５３ｂ及びピン孔３３ａ，３３ｂの角度は、嵌合溝５１に嵌合部３１を嵌合させてフロントＦにテンプル５を取り付けることができ、かつ、横方向に作用する力に対して容易に位置決めピン５３ａ，５３ｂがピン孔３３ａ，３３ｂから抜脱しないものであればよい。また、位置決めピン５３ａ，５３ｂ及びピン孔３３ａ，３３ｂの傾斜方向は、フロントＦにテンプル５を取り付けることができるのであれば、上記したような前後方向に限らず、左右方向であってもよい。
【００２５】
本発明の好適な実施形態について説明したが、本発明は上記の実施形態に限定されるものではない。
例えば、上記の説明では、嵌合部３１及び嵌合溝５１の断面形状は矩形状であるものとして説明したが、両者の各部が同一寸法に形成された同一形状のものであればよく、例えば、三角状や楕円状、不定形状の断面を有するものであってもよい。
【００２６】
また、上記の説明では、嵌合部３１及び嵌合溝５１の双方に磁石３２，５２を設けるものとして説明したが、嵌合部３１又は嵌合溝５１のいずれか一方に磁石（３２又は５２）を設け、他方にこの磁石と磁着する金属を設けてもよい。また、テンプル５又はフロントＦの一部を磁着性の金属で形成するようにしてもよい。
【００２７】
さらに、上記の説明では、嵌合溝５１の開口は眼鏡の内側を差し向くものとして説明したが、嵌合溝５１の開口の方向はこれに限られるものではない。しかしながら、眼鏡のデザイン性を考慮すると、嵌合溝５１と嵌合部３１とは眼鏡の外側から見えないものであるのが好ましく、前記開口は、内側の他、上方又は下方に差し向くようにするのが好ましい。
【００２８】
また、上記の第一及び第二の実施形態において、位置決めピン及びピン孔の数は一つであっても二つであってもよく、さらにそれ以上の数であってもよい。
さらに、第一の当接部（５１ｂ）及び第二の当接部（３ｃ）は、嵌合部３１が嵌合溝５１から抜脱しにくくなるように、軸線Ｃ及び位置決めピン，ピン孔に対して一定の傾斜を設けてもよい。
またさらに、係合孔として貫通状のピン孔３３，３３ａ，３３ｂを例に挙げて説明したが、貫通孔ではなく有底の孔であってもよいし、溝状のものであってもよい。また、位置決め突起としてピン状のものを例に挙げて説明したが、ピン状のものに限らず凸状のものであってもよい。
【産業上の利用可能性】
【００２９】
本発明は、金属製や樹脂製，木製その他の材質の眼鏡に適用することが可能であるほか、テンプルとフロントとを有する眼鏡であれば、リムの形態（リムレス、ハーフリム、フルリム）に関わらず、広く適用することが可能である。
【図面の簡単な説明】
【００３０】
【図１】本発明の眼鏡の第一の実施形態にかかり、フロントとテンプルの分解平面図である。
【図２】フロントとテンプルの取付部分を拡大した分解斜視図である。
【図３】フロントＦにテンプル５を取り付けた状態を示す図である。
【図４】本発明の第二の実施形態にかかる眼鏡のフロントとテンプルの説明図で、（ａ）はフロントとテンプルの分解平面図、（ｂ）はフロントとテンプルの組立平面図である。
【符号の説明】
【００３１】
１：リム
２：レンズ
３：ヨロイ
３ａ：ヨロイ前部
３ｂ：ヨロイ後部
３ｃ：段付き面（第二の当接部）
３１：嵌合部
３１ａ：後端面
３２：磁石
３３：ピン孔（係合孔）
３３ａ，３３ｂ：ピン孔（係合孔）
５：テンプル
５１：嵌合溝
５１ａ：前端面
５１ｂ：後端面（第一の当接部）
５２：磁石
５３：位置決めピン（位置決め突起）
５３ａ，５３ｂ：位置決めピン（位置決め突起）
【図１】
0004660787.tif 000002
【図２】
0004660787.tif 000003
【図３】
0004660787.tif 000004
【図４】
0004660787.tif 000005